(57)【要約】【課題】二重床に繰り返し作用する荷重によって僅かな上下動が生じても、二重床を最初に設定した高さに維持できる二重床の高さ調節装置を提供する。【解決手段】二重床の縦孔４にねじ込まれる脚杆５と、この脚杆の回転をロックするロック部材６と、このロック部材のアーム部６ｃを係止させる切欠部７を具備した二重床の高さ調節装置であって、縦孔４にねじ込まれた脚杆５の縦溝５ｄにロック部材６の突起６ｂを嵌込むと共に、ロック部材６のアーム６ｃを、縦孔４の下端開口の近傍に形成した上記切欠部７に係止させた構成の二重床の高さ調節装置とする。【選択図】  図４
2004232419.tif 000002
【特許請求の範囲】
【請求項１】
二重床の縦孔に取付けられる脚杆と、この脚杆の回転をロックするロック部材と、このロック部材のアーム部を係止させる切欠部とを具備した二重床の高さ調節装置であって、
上記縦孔は、その内周面に雌ネジを形成したものであり、
上記脚杆は、その外周面に上記縦孔の雌ネジと螺合し得る雄ネジを形成すると共に、縦溝を形成したものであり、
上記ロック部材は、上記脚杆の外径より僅かに大きい内径を有するリング部の内側に、上記脚杆の縦溝に嵌まり込む突起を形成すると共に、該リング部の外側に上記アーム部を突設したものであり、
上記切欠部は、上記縦孔の下端開口の近傍箇所に略鉤形に形成したものであり、
上記ロック部材のリング部を上記脚杆に遊嵌して上記突起を上記縦溝に嵌め込んだまま、上記脚杆を上記縦孔に下方からねじ込んで、上記ロック部材のアーム部を上記切欠部に係止させたことを特徴とする、二重床の高さ調節装置。
【請求項２】
二重床の縦孔に筒状スペーサを介して取付けられる脚杆と、この脚杆の回転をロックするロック部材と、このロック部材のアーム部を係止させる切欠部とを具備した二重床の高さ調節装置であって、
上記縦孔は、その内周面に雌ネジを形成したものであり、
上記筒状スペーサは、外周面に上記縦孔の雌ネジと螺合し得る雄ネジを形成した雄筒部と、内周面に上記縦孔の雌ネジと同じ雌ネジを形成した雌筒部とを、上下に連成したものであり、
上記脚杆は、その外周面に上記縦孔の雌ネジと螺合し得る雄ネジを形成すると共に、縦溝を形成したものであり、
上記ロック部材は、上記脚杆の外径より僅かに大きい内径を有するリング部の内側に、上記支持脚の縦溝に嵌まり込む突起を形成すると共に、該リング部の外側に上記アーム部を突設したものであり、
上記切欠部は、上記筒状スペーサの雌筒部の下端開口周縁部に略鉤形に形成したものであり、
上記筒状スペーサの雄筒部を上記縦孔に下方からねじ込んで固定すると共に、上記ロック部材のリング部を上記脚杆に遊嵌して上記突起を上記縦溝に嵌め込んだまま、上記脚杆を上記筒状スペーサの雌筒部に下方からねじ込んで、上記ロック部材のアーム部を上記切欠部に係止させたことを特徴とする、二重床の高さ調節装置。
【請求項３】
上記脚杆の縦溝を外周面に１８０°の間隔をあけて二つ形成すると共に、上記ロック部材の突起とアーム部をリング部の内側と外側に１８０°の間隔をあけて二つずつ形成し、上記切欠部を上記縦孔の下端開口の周縁部に１８０°の間隔をあけて二つ、又は、９０°の間隔をあけて四つ形成した、請求項１に記載の高さ調節装置。
【請求項４】
上記脚杆の縦溝を外周面に１８０°の間隔をあけて二つ形成すると共に、上記ロック部材の突起とアーム部をリング部の内側と外側に１８０°の間隔をあけて二つずつ形成し、上記切欠部を上記筒状スペーサの雌筒部の下端開口周縁部に１８０°の間隔をあけて二つ、又は、９０°の間隔をあけて四つ形成した、請求項２に記載の高さ調節装置。
【請求項５】
上記切欠部が、下端を開放した導入部の片側に被係止部を連成して導入部と被係止部との内側コーナ部分に上向きの小突起を形成したものである、請求項１ないし請求項４のいずれかに記載の高さ調節装置。
【請求項６】
上記筒状スペーサと上記縦孔の下端開口周縁部との当接面の一方に回り止め用凸部を形成し、他方に該凸部が嵌まり込む凹部を形成した、請求項２に記載の高さ調節装置。
【発明の詳細な説明】
【０００１】
【発明の属する技術分野】
本発明は、浴室等に施工される二重床の高さ調節装置に関する。
【０００２】
【従来の技術】
近年、浴室等の出入口と床面との段差をなくして老人等が安全に出入りできるようにするために、浴室等の床を二重床にすることが多くなってきた。このような二重床は、その床面が出入口の下端と同じ高さとなるように高さ調節を行う必要があるため、通常のものは高さ調節装置を取付けている。
【０００３】
二重床の最も基本的な高さ調節装置は、二重床に形成したネジ孔に支持脚ボルトを下方からねじ込み、支持脚ボルトのねじ込み深さを加減することによって高さ調節を行うものである。
【０００４】
また、出入口と床面との段差が大きい場合でも対応できるように、内周面に雌ネジが形成された筒状スペーサを二重床のネジ孔に接続固定し、この筒状スペーサに支持脚ボルトを下方からねじ込んだ高さ調節装置も開発されている。
【０００５】
【発明が解決しようとする課題】
上記の基本的な高さ調節装置は、二重床のネジ孔に対する支持脚ボルトのネジ込み深さをコントロールすることによって簡単に二重床の高さを調節できるものであるが、この高さ調節装置には支持脚ボルトの回り止め機構がないため、人のの荷重が二重床に繰り返し作用すると、二重床の僅かな上下動に伴って支持脚ボルトが少しずつ回転し、二重床を最初に設定した高さに維持することができないという問題があった。
【０００６】
このような問題は、筒状スペーサを取付けて支持脚ボルトをねじ込んだ高さ調節装置においても同様に生じるものである。
【０００７】
本発明は斯かる問題に対処すべくなされたもので、その目的とするところは、二重床に荷重が繰り返し作用することによって僅かな上下動が生じたとしても、二重床を最初に設定した高さに維持することができる高さ調節装置を提供することにある。
【０００８】
【課題を解決するための手段】
上記目的を達成するため、請求項１の発明に係る二重床の高さ調節装置は、二重床の縦孔に取付けられる脚杆と、この脚杆の回転をロックするロック部材と、このロック部材のアーム部を係止させる切欠部とを具備した二重床の高さ調節装置であって、
上記縦孔は、その内周面に雌ネジを形成したものであり、
上記脚杆は、その外周面に上記縦孔の雌ネジと螺合し得る雄ネジを形成すると共に、縦溝を形成したものであり、
上記ロック部材は、上記脚杆の外径より僅かに大きい内径を有するリング部の内側に、上記脚杆の縦溝に嵌まり込む突起を形成すると共に、該リング部の外側に上記アーム部を突設したものであり、
上記切欠部は、上記縦孔の下端開口の近傍箇所に略鉤形に形成したものであり、
上記ロック部材のリング部を上記脚杆に遊嵌して上記突起を上記縦溝に嵌め込んだまま、上記脚杆を上記縦孔に下方からねじ込んで、上記ロック部材のアーム部を上記切欠部に係止させたことを特徴としている。
【０００９】
このような構成の高さ調節装置は、二重床の縦孔に対する脚杆のねじ込み深さを加減することによって二重床の高さを簡単に調節することができる。しかも、この高さ調節装置では、ロック部材の突起を脚杆の縦溝に嵌め込むことによって脚杆とロック部材が相対的に回転できないようにすると共に、ロック部材のアーム部を切欠部に係止させることによってロック部材を回転できないように固定しているため、脚杆はロックされて回転することがない。従って、二重床に繰り返し作用する荷重によって僅かな上下動が生じたとしても、二重床を最初に設定した高さに維持することができる。
【００１０】
また、請求項２の発明に係る二重床の高さ調節装置は、二重床の縦孔に筒状スペーサを介して取付けられる脚杆と、この脚杆の回転をロックするロック部材と、このロック部材のアーム部を係止させる切欠部とを具備した二重床の高さ調節装置であって、
上記縦孔は、その内周面に雌ネジを形成したものであり、
上記筒状スペーサは、外周面に上記縦孔の雌ネジと螺合し得る雄ネジを形成した雄筒部と、内周面に上記縦孔の雌ネジと同じ雌ネジを形成した雌筒部とを、上下に連成したものであり、
上記脚杆は、その外周面に上記縦孔の雌ネジと螺合し得る雄ネジを形成すると共に、縦溝を形成したものであり、
上記ロック部材は、上記脚杆の外径より僅かに大きい内径を有するリング部の内側に、上記支持脚の縦溝に嵌まり込む突起を形成すると共に、該リング部の外側に上記アーム部を突設したものであり、
上記切欠部は、上記筒状スペーサの雌筒部の下端開口周縁部に略鉤形に形成したものであり、
上記筒状スペーサの雄筒部を上記縦孔に下方からねじ込んで固定すると共に、上記ロック部材のリング部を上記脚杆に遊嵌して上記突起を上記縦溝に嵌め込んだまま、上記脚杆を上記筒状スペーサの雌筒部に下方からねじ込んで、上記ロック部材のアーム部を上記切欠部に係止させたことを特徴としている。
【００１１】
このような構成の高さ調節装置は、筒状スペーサの雌筒部に対する脚杆のねじ込み深さを加減することによって二重床の高さを簡単に調節することができる。そして、この高さ調節装置も、ロック部材の突起を脚杆の縦溝に嵌め込むことによって脚杆とロック部材が相対的に回転できないようにすると共に、ロック部材のアーム部を雌筒部の下端開口周縁部の切欠部に係止させることによってロック部材を回転できないように固定しているため、二重床に繰り返し作用する荷重により上下動が生じたとしても、脚杆はロックされて回転することがなく、二重床を最初に設定した高さに維持することができる。
【００１２】
上記の高さ調節装置に於ては、脚杆の縦溝を外周面に１８０°の間隔をあけて二つ形成すると共に、ロック部材の突起とアーム部をリング部の内側と外側に１８０°の間隔をあけて二つずつ形成し、請求項１の高さ調節装置の場合は縦孔の下端開口周縁部に、請求項２の高さ調節装置の場合は筒状スペーサの雌筒部の下端開口周縁部に、切欠部を１８０°の間隔をあけて二つ、又は、９０°の間隔をあけて四つ形成することが好ましい。このようにすると、ロック部材を安定良く係止して脚杆を両側からバランス良くロックでき、切欠部を１８０°の間隔をあけて二つ形成する場合は、脚杆を１８０°回転させるごとにロックして雄ネジのピッチの１／２の間隔で細かく高さ調節を行うことができる。そして、切欠部を９０°の間隔をあけて四つ形成する場合は、脚杆を９０°回転させるごとにロックして雄ネジのピッチの１／４の間隔で高さを微調節することができる。
【００１３】
また、上記の高さ調節装置に於ては、略鉤形の切欠部が、下端を開放した導入部の片側に被係止部を連成して導入部と被係止部との内側コーナ部分に上向きの小突起を形成したものであることが好ましい。このような切欠部を設けて、その導入部から導入したロック部材のアーム部を小突起を越えて被係止部に係止させると、アーム部が小突起に引っ掛かって導入部の方へ戻れなくなり、切欠部からのロック部材の脱落が防止されるので、脚杆のロックが解除される心配を解消することができる。
【００１４】
更に、請求項２の高さ調節装置に於ては、筒状スペーサと縦孔の下端開口周縁部との当接面の一方に回り止め用凸部を形成し、他方に該凸部が嵌まり込む凹部を形成することが好ましい。このようにすると、二重床に生じる僅かな上下動によって、筒状スペーサが回転して緩む心配も解消される。
【００１５】
【発明の実施の形態】
以下、図面を参照して本発明の具体的な実施形態を詳述する。
【００１６】
図１は本発明の一実施形態に係る高さ調節装置を設けた二重床の正面図、図２は同二重床の部分側面図、図３は高さ調節装置を設けた部分を断面で表した同二重床の部分側面図、図４は同高さ調節装置の拡大断面図、図５は同高さ調節装置の分解斜視図、図６はロック部材を遊嵌した脚杆を下方から縦孔にねじ込んだところを示す同高さ調節装置の斜視図、図７はロック部材のアーム部を切欠部に係止させたことろを示す同高さ調節装置の斜視図、図８は同高さ調節装置の切欠部の正面図である。
【００１７】
図１〜図３に示す二重床は、合成樹脂製の複数の支持基材１を一定の間隔をあけて平行に配置すると共に、支持基材１と支持基材１の間に合成樹脂製の複数の横架材２を架け渡し、これらの横架材２及び支持基材１の上に複数枚の合成樹脂製の表面材３を被着したものであって、図２及び図３に示すように、高さ調節装置は各支持基材１の両端部に設けられている。
【００１８】
この二重床の高さ調節装置は、図４〜図７に示すように、支持基材１の両端部に形成された縦孔４に取付けられる合成樹脂製の脚杆５と、この脚杆５の回転をロックする合成樹脂製のロック部材６と、このロック部材６のアーム部６ｃを係止させる切欠部７とで構成されている。
【００１９】
上記の縦孔４は、図４に示すように、その内周面に雌ネジ４ａが形成されたネジ孔であり、該縦孔４の下端部は、雌ネジが形成されていない孔径の少し大きい大径孔部４ｂとなっている。
【００２０】
この縦孔４に取付けられる上記の脚杆５は、図４に示すように、縦孔４の雌ネジ４ａと螺合し得る雄ネジ５ａを外周面に形成した筒状の脚杆であって、その下端フランジ部５ｂの内側には滑止め用のゴム座５ｃが嵌着されている。そして、図５〜図７に示すように、脚杆５の外周面には二つの縦溝５ｄが１８０°の間隔をあけて形成されており、また、脚杆５の上端部には六角レンチ等の回転具を上方から挿入する六角穴５ｅが形成されている。
【００２１】
この脚杆５の回転をロックする上記のロック部材６は、図５に示すように、脚杆５の外径より僅かに大きい内径を有するリング部６ａの内側に、脚杆５の縦溝５ｄに嵌まり込む二つの突起６ｂを１８０°の間隔をあけて形成すると共に、該リング部６ａの外側に二つのアーム部６ｃを１８０°の間隔をあけて突設したものである。
【００２２】
そして、このロック部材６のアーム部６ｃを係止させる上記の切欠部７は、図５に示すように、縦孔４の下端開口の周縁部に９０°の間隔をあけて配設された四つの垂下片９のそれぞれに形成されている。各切欠部７は、図８に示すように、下端が開放した縦方向の導入部７ａの片側に横方向の被係止部７ｂを連成して導入部７ａと被係止部７ｂとの内側コーナ部分に上向きの小突起７ｃを設けた略鉤形の形状とされている。従って、この切欠部７の導入部７ａからロック部材６のアーム部６ｃを導入し、小突起７ｃを越えてアーム部６ｃを被係止部７ｂまで回して係止させると、アーム部６ｃが小突起７ｃに引っ掛かって導入部７ａへ戻れないため、切欠部７からロック部材６が脱落する心配はなくなる。
【００２３】
この実施形態の高さ調節装置は、上記のロック部材６のリング部６ａを図６に示すように脚杆５に遊嵌して、リング部の内側の突起６ｂを脚杆５の外周面の縦溝５ｄに嵌め込んだまま、脚杆５を支持基材１の縦孔４に下方からねじ込み、図７に示すように、ロック部材６を上方に移動させてアーム部６ｃを上述のごとく切欠部７の被係止部７ｂに係止させたものである。なお、脚杆５のねじ込み作業は、支持基材１の縦孔４の上方から六角レンチ等の回転具を脚杆５上端の六角穴５ｅに差し込んで回転させることにより、簡単に行うことができる。
【００２４】
以上のような構成の高さ調節装置は、支持基材１の縦孔４に対する脚杆５のねじ込み深さを加減することによって、二重床の高さを簡単に調節することができる。そして、高さを調節した状態で、上記のようにロック部材６のアーム部６ｃを切欠部７の被係止部７ｂに係止させると、ロック部材６が回転できないように固定され、ロック部材６の突起６ｂが縦溝５ｄに嵌まり込んでいる脚杆５も回転不能にロックされる。従って、二重床に繰り返し作用する荷重によって小さな上下動が生じても、その上下動に伴って脚杆５が回転することはないので、二重床を最初に設定した高さに維持することができる。
【００２５】
ところで、脚杆５の縦溝５ｄ、ロック部材６の突起６ｂやアーム部６ｃ、切欠部７などは、少なくとも一つずつ形成すれば足りるが、その場合は、ロック部材６を片持ちの状態で切欠部７に係止させることになるので、安定良くロック部材６を係止させて脚杆５をバランス良くロックすることが難しくなり、また、脚杆５を３６０°回転させるごとにロックして雄ネジ５ａのピッチ間隔で高さ調節を行うことになるので、細かい高さ調節も困難になる。
【００２６】
けれども、上記実施形態の高さ調節装置のように脚杆５の縦溝５ｄを１８０°の間隔をあけて二つ形成し、ロック部材６の突起６ｂとアーム部６ｃを１８０°の間隔をあけて二つずつ形成すると共に、切欠部を９０°の間隔をあけて四つ形成する場合は、ロック部材６を両持ちの状態で安定良く係止して脚杆５を両側からバランス良くロックでき、しかも、脚杆５を９０°回転させるごとにロックして雄ネジ５ａのピッチの１／４の間隔で高さを微調節することができる。
【００２７】
切欠部７は１８０°の間隔をあけて二つ形成してもよく、その場合は、脚杆５を１８０°回転させるごとにロックして雄ネジのピッチの１／２の間隔で細かく高さ調節を行うことができる。尚、切欠部７を六つあるいはそれ以上形成し、雄ネジ５ａのピッチの１／６以下の間隔で高さを更に微調節するようにしてもよいが、二重床においては、そこまでシビアな高さ調節は要求されないので、上記実施形態のように切欠部７を９０°の間隔をあけて四つ形成すれば十分である。また、脚杆５の縦溝５ｄ、ロック部材６の突起６ｂやアーム部６ｃは、上記のように二つずつ形成すれば十分であるが、場合によっては三つあるいはそれ以上形成してもよい。
【００２８】
図９は本発明の他の実施形態に係る高さ調節装置の断面図、図１０は同高さ調節装置の分解断面図、図１１は同高さ調節装置に用いる筒状スペーサの斜視図である。
【００２９】
この二重床の高さ調節装置は、支持基材１の両端部に形成された縦孔４に筒状スペーサ８を介して取付けられる脚杆５と、この脚杆５の回転をロックするロック部材６と、このロック部材６のアーム部６ｃを係止させる切欠部７とで構成されている。
【００３０】
縦孔４、脚杆５、ロック部材６は、前記実施形態の高さ調節装置のそれらと全く同じものであるので、図９，図１０において対応部分に同一の符号を付すにとどめ、説明を省略する。また、切欠部７も、前記実施形態の高さ調節装置のそれと同様のものであるが、この実施形態の高さ調節装置では、筒状スペーサ８の下端開口周縁部８ｅに形成されている点で相違している。
【００３１】
この筒状スペーサ８は、外周面に上記縦孔４の雌ネジ４ａと螺合し得る雄ネジ８ａを形成した雄筒部８ｂと、内周面に上記縦孔４の雌ネジ４ａと同じ雌ネジ８ｃを形成した雌筒部８ｄとを上下に連成したものであって、この雌筒部８ｄの拡径された下端開口周縁部８ｅには、略鉤形の切欠部７が９０°の間隔をあけて四つ形成されている。
【００３２】
図１１に示すように、雌筒部８ｄの上部には鍔部８ｆが形成されており、この鍔部８ｆと雌筒部の下端開口周縁部８ｅとの間の外周面には、四つの凸リブ８ｇが９０°の間隔をあけて形成されている。また、鍔部８ｆの上面には、直角三角形の断面形状を有する回り止め用の凸部８ｈが４５°の間隔をあけて八つ形成されており、これに対応して、支持基材１の縦孔４の下端開口周縁部の下面には、該凸部８ｈが嵌まり込む凹部（不図示）が同数形成されている。従って、上記の凸リブ８ｇに指をかけて筒状スペーサ８を回転させながら、雄筒部８ｂを支持基材１の縦孔４に下方から強くねじ込むと、回り止め用の凸部８ｈが凹部に嵌まり込んで、筒状スペーサ８が緩まないように縦孔４に取付けられるようになっている。
【００３３】
尚、回り止め用の凸部８ｈと凹部を形成する箇所は、上記の箇所に限定されるものではなく、筒状スペーサ８と縦孔４の下端開口周縁部との当接面のいずれか一方に回り止め用の凸部８ｈを形成し、他方に凹部を形成すればよい。また、凸部８ｈと凹部の数も自由に増減可能である。
【００３４】
この実施形態の高さ調節装置は、上記の要領で筒状スペーサ８の雄筒部８ｂを支持基材１の縦孔４に下方からねじ込んで緩まないように固定すると共に、ロック部材６のリング部６ａを脚杆５に遊嵌して突起６ｂを縦溝５ｄに嵌め込んだまま、脚杆５を筒状スペーサ８の雌筒部８ｄに下方からねじ込んで二重床の高さを調節し、ロック部材６のアーム部６ｃを筒状スペーサ８の下端開口周縁部８ｅの切欠部７の被係止部７ｂに係止させて、脚杆５を回転不能にロックしたものである。従って、この高さ調節装置は、筒状スペーサ８の高さ分だけ二重床の位置を高く調節することができ、また、二重床に小さな上下動が生じても脚杆５が回転しないので、二重床を最初に設定した高さに維持することができる。
【００３５】
【発明の効果】
以上の説明から明らかなように、本発明の二重床の高さ調節装置は、脚杆のねじ込み深さを加減することによって簡単に二重床の高さ調節を行うことができ、二重床に小さな上下動が生じてもロック部材により脚杆が回転不能にロックされるので、二重床を最初に設定した高さに維持することができるといった顕著な効果を奏する。
【図面の簡単な説明】
【図１】本発明の一実施形態に係る高さ調節装置を設けた二重床の正面図である。
【図２】同二重床の部分側面図である。
【図３】高さ調節装置を設けた部分を断面で表した同二重床の部分側面図である。
【図４】同高さ調節装置の拡大断面図である。
【図５】同高さ調節装置の分解斜視図である。
【図６】ロック部材を遊嵌した脚杆を下方から縦孔にねじ込んだところを示す同高さ調節装置の斜視図である。
【図７】ロック部材のアーム部を切欠部に係止させたことろを示す同高さ調節装置の斜視図である。
【図８】同高さ調節装置の切欠部の正面図である。
【図９】本発明の他の実施形態に係る高さ調節装置の断面図である。
【図１０】同高さ調節装置の分解断面図である。
【図１１】同高さ調節装置に用いる筒状スペーサの斜視図である。
【符号の説明】
１  二重床の支持基材
２  二重床の横架材
３  二重床の表面材
４  支持基材に形成された縦孔
４ａ  縦孔の雌ネジ
５  脚杆
５ａ  脚杆の雄ネジ
５ｄ  縦溝
６  ロック部材
６ａ  リング部
６ｂ  突起
６ｃ  アーム部
７  切欠部
７ａ  導入部
７ｂ  被係止部
７ｃ  小突起
８  筒状スペーサ
８ａ  雄筒部の雄ネジ
８ｂ  雄筒部
８ｃ  雌筒部の雌ネジ
８ｄ  雌筒部
８ｅ  雌筒部の下端開口周縁部
８ｈ  回り止め用凸部
【図１】
2004232419.tif 000003
【図２】
2004232419.tif 000004
【図３】
2004232419.tif 000005
【図４】
2004232419.tif 000006
【図５】
2004232419.tif 000007
【図６】
2004232419.tif 000008
【図７】
2004232419.tif 000009
【図８】
2004232419.tif 000010
【図９】
2004232419.tif 000011
【図１０】
2004232419.tif 000012
【図１１】
2004232419.tif 000013